(57)【要約】【課題】  市販のラップでは、パック作業それ自体およびラップに穴を開ける作業が必要になり、パックに手間がかかっていた。【解決手段】このラップパック１００は、パックに必要な分量を引き出し、ケース３の蓋５の歯により所定長さに切断する。続いて、ミシン目４が目の上にくるようにしてラップ２をのせ、その後、ミシン目４を割いて目の部分に穴を開ける。この発明のラップパック１００によれば、鋏を使わなくてもラップ２に簡単に穴を開けることができる。また、ミシン目４に沿って切断することでラップ２の幅を簡単に小さくできる。これらの結果、パック作業自体が簡単に行えるようになる。また、ラップパック１００の構造が簡単であるため、安価に製造できる。【選択図】図１
2011078509.tif 000002
【特許請求の範囲】
【請求項１】
棒状の芯材と、
芯材の周囲に多数層に巻かれ且つ単数または複数のミシン目を少なくとも略巻回方向に有するラップと、
芯材に巻きつけたラップを収納するケースと、
を備えたことを特徴とするラップ。
【請求項２】
前記ミシン目同士が交差部分を有することを特徴とする請求項１に記載のラップ。
【請求項３】
前記ケースに、固定バンドを設けたことを特徴とする請求項１または２に記載のラップ。
【請求項４】
前記請求項１〜３のいずれか一つに記載のラップを、幅が１０ｃｍ以下４ｃｍ以上としたことを特徴とするラップパック。
【発明の詳細な説明】
【技術分野】
【０００１】
本発明は、ラップによりパックをしたときに簡単に穴を開けられるラップパックに関するものである。
【背景技術】
【０００２】
最近、ラップパックという美容方法が注目されている。このラップパックは、市販のラップをローションパックの上に被せ、水分の蒸発を防止するものであり、市販のラップを用いて簡単に実施できるために流行の兆しがある。
【０００３】
しかしながら、顔にラップをするにしても、目鼻口を避けて用いるか、目鼻口の部分に穴を開けて用いる必要があり、前者の場合にはパック作業に手間がかかり、後者の場合には鋏等によりラップに穴を開ける手間がかかり、そうなると幅の大きな市販のラップは使い難いものとなっていた。なお、特許文献１に記載のようなパックもあるが、面積が大きく且つ１枚毎に用いることになり、高価である。
【先行技術文献】
【特許文献】
【０００４】
【特許文献１】特開２００９−３９１６９号
【発明の概要】
【発明が解決しようとする課題】
【０００５】
解決しようとする問題点は、市販のラップでは、パック作業それ自体およびラップに穴を開ける作業が必要になり、パックに手間がかかっていた点である。
【課題を解決するための手段】
【０００６】
本発明のラップは、棒状の芯材と、芯材の周囲に多数層に巻かれ且つ単数または複数のミシン目を少なくとも略巻回方向に有するラップと、芯材に巻きつけたラップを収納するケースとを備えたことを特徴とする。
【０００７】
また、本発明のラップは、上記発明において、前記ミシン目同士が交差部分を有することを特徴とする。
【０００８】
また、本発明のラップは、上記発明において、前記ケースに、固定バンドを設けたことを特徴とする。
【０００９】
また、本発明のラップパックは、上記ラップを、幅が１０ｃｍ以下４ｃｍ以上としたことを特徴とする。
【発明の効果】
【００１０】
本発明によれば、パックした後で簡単に穴を開けられるうえ、ミシン目で切断することで異なる幅のラップとして用いることができる。また、これらは食品等をラップする場合にも同様の効果がある。
【図面の簡単な説明】
【００１１】
【図１】この発明の実施の形態１にかかるラップパックを示す斜視図である。
【図２】図１に示したラップパックの中身のラップ２の斜視図である。
【図３】図１に示したラップパックの使用方法を示す説明図である。
【図４】ラップパックの別の使用方法を示す説明図である。
【図５】この発明の実施の形態２にかかるラップパックを示す斜視図である。
【図６】図５に示したラップパックの中身のラップ２の斜視図である。
【図７】この発明の実施の形態３にかかるラップパックの中身のラップ２を示す平面図である。
【図８】図７に示したラップ２の使用方法を示す説明図である。
【図９】この発明の別の実施の形態にかかるラップパックを示す斜視図である。
【図１０】この発明の別の実施の形態にかかるラップパックを示す斜視図である。
【発明を実施するための形態】
【００１２】
（実施の形態１）
図１は、この発明の実施の形態１にかかるラップパックを示す斜視図である。図２は、図１に示したラップパックの中身のラップ２の斜視図である。このラップパック１００は、円筒の棒状の芯材１と、この芯材１の周囲に巻きついているラップ２と、このラップ２を芯材１と共に収納するケース３とから構成される。ラップ２は、幅が２０ｃｍ以下２ｃｍ以上とするのが使用上好ましく、幅が１０ｃｍ以下４ｃｍ以上とするのがより好ましい。これは、市販のラップのような大きな幅だと、パックには使用し難いためである。
【００１３】
ラップ２には、巻回方向（芯材１の周方向または長手方向に垂直方向）に１本のミシン目４が設けられている。このミシン目４は、ラップ２の幅方向の略中央に形成される。ケース３は、ラップ２と芯材１を収納するのに適した長めの箱状体である。上部が開閉可能な蓋５となっており、その蓋５の端縁には微小な歯が設けられている。
【００１４】
ラップ２の素材には、ポリエチレン、ポリ塩化ビニル、ポリ塩化ビニリデン、ポリエチルベンテン、ポリプロピレン等を用いる。特に、酸素ガス透過度が高く、透湿度が低いものを用いるのが好ましい。
【００１５】
次に、このラップパック１００の使用方法を説明する。図３は、図１に示したラップパックの使用方法を示す説明図である。このラップパック１００は、例えば、８ｃｍの幅のラップ２を収納したラップパック１００であり、額をパックするだけの分量を引き出し、ケース３の蓋５の歯により所定長さに切断する。そして、このラップ２を額にのせ、パックする。この場合は、ミシン目４を切断しない。続いて、目の周りをパックするだけの分量を引き出し、同様に所定長さに切断する。そして、ミシン目４が目の上にくるようにしてラップ２をのせ、その後、ミシン目４を割いて目の部分に穴を開ける。続いて、口の周りをパックするだけの分量を引き出し、同様に所定長さに切断する。そして、ミシン目４が口の上にくるようにしてラップ２をのせ、その後、ミシン目４を割いて口の部分に穴を開ける。
【００１６】
このように、目と口の部分にミシン目４がくるようにし、ラップ２をのせてからミシン目４を裂いて穴を開けるようにすれば、簡単にラップパックをすることができる。なお、図示しないが、鼻の周りをパックする場合は、鼻の上にミシン目４がくるようにしてラップ２をのせ、その後、ミシン目４を割いて鼻の部分に穴を開ければよい。
【００１７】
図４は、ラップパックの別の使用方法を示す説明図である。このラップパック１００は、巻回方向にミシン目４を設けているので、パックする前に、このミシン目４に沿ってラップ２を切断して用いることもできる。同図の例では、８ｃｍ幅のラップ２を半分に切断して幅４ｃｍのラップ２とし、頬や鼻の頭、口元等に用いている。
【００１８】
以上、この発明のラップパック１００によれば、鋏を使わなくてもラップ２に簡単に穴を開けることができる。また、ミシン目４に沿って切断することでラップ２の幅を簡単に小さくできる。これらの結果、パック作業自体が簡単に行えるようになる。また、ラップパック１００の構造が簡単であるため、安価に製造できる。
【００１９】
（実施の形態２）
図５は、この発明の実施の形態２にかかるラップパックを示す斜視図である。図６は、図５に示したラップパックの中身のラップの斜視図である。このラップパック２００は実施の形態１に示したラップパック１００と略同様の構成であるが、ミシン目４が巻回方向に２本設けられている点が異なる。このように、２本のミシン目４を設けることで、ラップ２をのせたときに２つの位置で穴を開けられる。また、図４に示したように切断して用いる場合に、ラップ幅を３種類にできる。即ち、１列のみ用いる場合、２列用いる場合、切断せずに用いる場合である。
【００２０】
また、図示しないが、ミシン目４の数を３本以上にしても良い。その場合には、更に穴を開ける位置を増やすことができ、切断して様々な幅のラップ２として用いることができる。
【００２１】
（実施の形態３）
図７は、この発明の実施の形態３にかかるラップパックの中身のラップ２を示す平面図である。このラップパック３００は実施の形態１に示したラップパック１００と略同様の構成であるが、ラップ２に形成するミシン目２０４同士が交差したパターンである点が異なる。例えば図７の場合には、ミシン目２０４がクロスするように設けられ、換言するとＸ字形状に多数設けられている。このＸ字形状のミシン目２０４は、図８に示すように、パックしたときに引き裂くことで切断片２０５を四方に窓を開くように穴を開けることができ、引き裂いた切断片２０５を折り返すことでラップ２同士が吸着して固定される。これにより、四角の穴を開けることができる。
【００２２】
また、図９に示すように、実施の形態１〜３のケース３に環状の固定バンドとしてのゴムバンド６を設けてもよい。このゴムバンド６は、図１０に示すように、ケース３の周りに巻くことで持ち運びのとき等にケース３の蓋５が開かないようにできる。また、図示しないが、蓋５に固定バンドを取り付け、その先端にフック側の面テープを設けると共に、ケース３の前記面テープに対応する位置にループ側の面テープを設けても良い。なお、上記実施の形態１〜３のラップ２に多数の微小孔を設け、一定の通気性を与えても良い（図示省略）。
【００２３】
（実施の形態４）
また、上記実施の形態１〜３のラップの幅を１４ｃｍ以上３３ｃｍ未満とし、食品等に用いるようにしてもよい。このようにすれば、ミシン目で切断できることから、サイズ規格違いのラップをいくつも購入して、使い分ける必要がないので、大変便利である。例えば、１汁２菜（メイン大皿、小鉢、汁椀）の場合、１本のラップ（幅３０ｃｍ）で、メインオ大皿に対して幅３０ｃｍのままでラップをし、小鉢、汁椀に対しては、幅１５ｃｍに切断してラップをすれば、大変使い勝手が良くなる。また、レンジでの調理の際、水分を飛ばしたいがレンジ内への飛び散りを最小限で抑えたい場合には、ラップを被せ、ミシン目に沿って適当な量の穴を開ければよい。
【符号の説明】
【００２４】
１００  ラップパック
１  芯材
２  ラップ
３  ケース
４  ミシン目
５  蓋
【図１】
2011078509.tif 000003
【図２】
2011078509.tif 000004
【図３】
2011078509.tif 000005
【図４】
2011078509.tif 000006
【図５】
2011078509.tif 000007
【図６】
2011078509.tif 000008
【図７】
2011078509.tif 000009
【図８】
2011078509.tif 000010
【図９】
2011078509.tif 000011
【図１０】
2011078509.tif 000012